(57)【要約】【課題】靴内のような予め定められた空間内をより確実に清浄することができる清浄装置を提供する。【解決手段】予め定められた空間内を清浄するための清浄装置１であって、空間内を消臭するための消臭部９、空間内の細菌を除去する除菌部８又は空間内を乾燥させるための乾燥部材３１の少なくともいずれかを備えた。【選択図】  図３
2016174835.tif 000002
【特許請求の範囲】
【請求項１】
予め定められた空間内を清浄するための清浄装置であって、
前記空間内を消臭するための消臭部、前記空間内の細菌を除去する除菌部又は前記空間内を乾燥させるための乾燥部材の少なくともいずれかを備えたことを特徴とする清浄装置。
【請求項２】
予め定められた空間内の細菌を除去する除菌部と、
前記空間内を消臭するための消臭部と、
前記除菌部及び前記消臭部を制御するための制御部とを備え、
前記制御部は、少なくとも前記除菌部及び前記消臭部を同じ時間動作させるように制御する請求項１記載の清浄装置。
【請求項３】
制御部は、消臭部を除菌部よりも長い時間動作させる請求項２記載の清浄装置。
【発明の詳細な説明】
【技術分野】
【０００１】
本発明は、清浄装置に関する。
【背景技術】
【０００２】
従来から、通気性が悪いために湿気がこもりやすく、細菌が発生しやすくなって悪臭が発生したり、衛生面に欠ける状態になる空間が形成されることがある。例えば、靴は、一般に足を挿入する部分のみが開口し、挿入した足を包み込むように袋状に一体的に構成されている。したがって、靴の内部では、特につま先部分に行くほど通気性が悪く、人が履いた際に人体から発生する汗などによって湿気がこもりやすい状態になるだけではなく、人体の熱によって暖められて高温多湿となる。それに加えて、靴内では人体から皮脂等が落屑するため、靴内において細菌が発生したり、発生した細菌が高温多湿の状況において繁殖し、それによって悪臭が発生することもある。また、悪臭が発生するだけではなく、例えば白癬菌のような細菌が人体にも感染して感染症を起こす場合がある。特に、現在は、靴を履いて生活する時間が長くなる傾向にあること、また筒状の部分が長く形成されており、特に通気性が悪いブーツ等が履かれる場合も増えてきていること等から、上記した悪臭や細菌の発生などが増加する傾向にあった。
【０００３】
また、上記した空間としては、靴を収納する収納部を有する下駄箱や、例えば靴や衣類などを持ち運ぶ際に使用するバッグなどもある。これらは、いずれも閉じられた空間を内部に形成することができるため、上記した悪臭や細菌の発生なども起こりやすい傾向にあった。
【０００４】
このような悪臭や細菌の発生、人体に細菌が感染することを防止するために、種々の考案がなされている。例えば、下記の特許文献１では、靴の内部に薬剤ケースを位置させて装着させ、必要に応じて除湿剤、除菌剤、消臭剤のうちから選択して薬剤ケースに入れて起き、除湿効果、除菌効果、消臭効果のいずれかを選択して得られるようにした靴用クリップが開示されている。また、下記の特許文献２では、ヒータ付き送風機による温風を用いて長靴の乾燥及び脱臭効果を同時かつ短時間で行えるようにした長靴の脱臭殺菌装置が開示されている。
【先行技術文献】
【特許文献】
【０００５】
【特許文献１】特開２０１３−０７５００６号公報
【特許文献２】特開２００２−１７２１５２号公報
【発明の概要】
【発明が解決しようとする課題】
【０００６】
しかしながら、上記した特許文献１により開示されている靴用クリップは、薬剤ケースの中に除湿剤、除菌剤又は消臭剤のような各種の薬剤を入れて使用するので、靴を形成する革などにダメージを与えるおそれがあるという問題があった。また、これは靴の場合に限定されず、例えば予め定められた空間を形成するために他の空間との間の境界に形成される壁部にダメージを与えるという問題がある。
【０００７】
また、特許文献２により開示されている長靴の脱臭殺菌装置は、靴内というような予め定められた空間内に温風を送風して靴内を乾燥させるので、やはり靴内に送風する温風の温度が高温になりやすく、靴を形成する革などにダメージを与える恐れがあり、靴の寿命を短くしてしまうおそれがあった。また、特許文献１及び２に記載された発明は、いずれも除湿、除菌及び／又は消臭を行うことができるものの、これらはいずれも対処的に除湿、除菌、消臭を行うため、細菌の発生及び増殖、消臭を完全に行うことが難しかった。
【０００８】
本発明は、このような問題点に鑑みてなされたものであり、靴内のような予め定められた空間内をより確実に清浄することができる清浄装置を提供することを目的とする。
【課題を解決するための手段】
【０００９】
本発明は、
（１）予め定められた空間内を清浄するための清浄装置であって、前記空間内を消臭するための消臭部、前記空間内の細菌を除去する除菌部又は前記空間内を乾燥させるための乾燥部材の少なくともいずれかを備えたことを特徴とする清浄装置、
（２）予め定められた空間内の細菌を除去する除菌部と、前記空間内を消臭するための消臭部と、前記除菌部及び前記消臭部を制御するための制御部とを備え、前記制御部は、少なくとも前記除菌部及び前記消臭部を同じ時間動作させるように制御する上記（１）記載の清浄装置、
（３）制御部は、消臭部を除菌部よりも長い時間動作させる上記（２）記載の清浄装置を要旨とする。
【発明の効果】
【００１０】
本発明の清浄装置は、予め定められた空間内を清浄するための清浄装置であって、前記空間内を消臭するための消臭部、前記空間内の細菌を除去する除菌部又は前記空間内を乾燥させるための乾燥部材の少なくともいずれかを備えたので、予め定められた空間内に発生した臭いや悪臭をより効果的に除去すること、予め定められた空間内において発生したり、繁殖したりした細菌をより効果的に除去し、その空間を有する物の衛生面における快適性をより向上させること、予め定められた空間内の湿気を除去し、湿度を低減させ、細菌や悪臭の発生をもさらにより効果的に抑え、その空間を有する物を使用する者がより快適に使用することができる。
なお、本発明の清浄装置は、前記空間内を細菌を除去する除菌部と、前記空間内を消臭するための消臭部と、前記除菌部及び前記消臭部を制御するための制御部とを備え、前記制御部は、少なくとも前記除菌部及び前記消臭部を同じ時間動作させるように制御するので、湿度の低減、細菌の発生及び繁殖並びに悪臭の発生をさらにより効果的に防止することができ、予め定められた空間が形成された物を使用者がより快適に使用することができる。
なお、制御部は、消臭部を除菌部よりも長い時間動作させてもよい。このように、消臭部を除菌部よりも長時間動作させることにより、予め定められた空間内における除菌、消臭及び除湿をより確実に行うことができ、予め定められた空間が形成された物を使用者がさらにより快適に使用することができる。
【図面の簡単な説明】
【００１１】
【図１】本発明に係る清浄装置の外観斜視図である。
【図２】本発明に係る清浄装置の外観斜視図である。
【図３】図１におけるＡ−Ａ線断面図である。
【図４】図１におけるＢ−Ｂ線断面図である。
【図５】清浄装置の電気的構成を示す電気ブロック図である。
【図６】清浄装置の動作の例を示すタイムチャートである。
【発明を実施するための形態】
【００１２】
本発明に係る清浄装置について詳細に説明する。まず、本発明に係る清浄装置の一つの態様としては、予め定められた空間内を清浄するための清浄装置であって、前記空間内を消臭するための消臭部、前記空間内の細菌を除去する除菌部又は前記空間内を乾燥させるための乾燥部材の少なくともいずれかを備えたことを特徴とするものである。
【００１３】
したがって、本発明に係る清浄装置の態様としては、消臭部のみを備えた態様、除菌部のみを備えた態様、乾燥部材のみを備えた態様、消臭部及び除菌部を備えた態様、除菌部及び乾燥部材を備えた態様、消臭部及び乾燥部材を備えた態様、さらには消臭部、除菌部および乾燥部材を備えた態様が挙げられる。
【００１４】
ここで、『予め定められた空間』とは、閉じている空間であってもよいし、開いている空間であってもよい。この予め定められた空間とは、例えば、靴やブーツ等を始めとする各種の履物の内部や、各種の履物を収納する下駄箱の内部、履物や衣類等を収納するバッグの内部などが挙げられるが、これに限定されるものではない。なお、消臭部、除菌部及び乾燥部材の構成の詳細については後述する。
【００１５】
また、清浄装置は、予め定められた空間内を清浄するためのものであって、この空間内の細菌を除去するための除菌部と、空間内を消臭するための消臭部と、除菌部及び消臭部を制御するための制御部とを備えている。これら除菌部、消臭部、除菌部及び制御部の具体的な構成については詳細に説明する。また、制御部は、少なくとも除菌部及び消臭部を同じ時間動作させるように制御し、望ましくは消臭部を除菌部よりも長い時間動作させるように制御することが好ましい。
【００１６】
以下においては、本発明に係る清浄装置の構成について図面を用いて詳細に説明する。なお、以下においては、清浄装置の例として、靴の内部を清浄するための清浄装置に本発明を適用した例に基いて説明するが、本発明の内容はこれに限定されるものではない。
【００１７】
図１及び図２に示すように、清浄装置１は、本体２、電源スイッチ３、表示ランプ４、チャージランプ５、ハンドル部６及び充電用コネクタ７を備えている。また、清浄装置１は、除菌部８、消臭部９及び乾燥部材収容部１０を備えている。
【００１８】
本体２は、清浄装置１の外郭を構成するもので、平面視した場合に両端が曲線を描くように形成された第１曲線部１１及び第２曲線部１２が形成されるとともに、両端に形成されたこれら第１曲線部１１と第２曲線部１２との間には直線状となる第１直線部１３及び第２直線部１４が形成された小判形に形成されている。また、本体２は、上体１５と下体１６とが組み合わされて形成されている。上体１５は、本体２の上側の外郭をなすように形成されている。また、上体１５には、先端部に複数の窓からなる上窓部１７が形成されている。この上窓部１７は、該上窓部１７の内部と外部とが連通するように貫通形成されており、後述する除菌部８から発生する紫外線を外部に向けて照射することができるように構成されている。
【００１９】
電源スイッチ３は、本体２の長手方向中央よりも後端側に設けられている。また、電源スイッチ３は、押しボタン式となっており、使用者が電源スイッチ３を押圧操作する毎に電源のオンオフを切り替えられるように構成されている。なお、例えば、電源がオフの時に電源スイッチ３を長押しすると電源がオンになり、電源がオンの時に電源スイッチ３を押圧操作すると電源がオフになる。なお、本実施の形態では、電源スイッチ３に押圧操作した場合にのみ電源のオンオフができるように構成されているものを用いているが、これに限定されるものではない。例えば、本体２にセンサを設けており、このセンサで人の動きや明るさという所定の条件の変化を検知し、この検知結果に基づいて電源のオンオフを行うようにしてもよい。
【００２０】
表示ランプ４は、電源スイッチ３よりも後方に配置されている。この表示ランプ４には、例えばＬＥＤ等が用いられており、電源スイッチ３がオフの場合には消灯しており、電源スイッチ３が操作されて該電源がオンになると、電源が点灯又は点滅するように構成されている。例えば、後述する除菌部８及び消臭部９の両方が駆動している間や消臭部９のみが駆動している間は表示ランプ４が常時点灯し、除菌部８及び消臭部９が停止していて電源がオンになっている間は表示ランプ４が点滅するようになっている。なお、この点灯の仕方はこれに限定されるものではなく、また表示ランプ４にはＬＥＤ以外の発光部材を用いてもよい。また、本実施の形態では、発光させることにより清浄装置１の動作状態を表示することができるようにしているが、例えばブザーなど音を発する装置を用いて、音により清浄装置１の状態を使用者に知らせるようにしてもよいし、またこれら以外の方法で使用者に知らせるようにしてもよい。
【００２１】
チャージランプ５は、表示ランプ４の後方に配置されている。図１に示すように、これら電源スイッチ３、表示ランプ４及びチャージランプ５は、上体１５の前方側から後方側に向けて直線状に順に並んで配置されている。このチャージランプ５は、ＬＥＤが用いられており、後述する充電用コネクタ７に図示しない充電ケーブルが接続されて給電が開始すると赤色等のような所定の色に点灯するようになっている。なお、このチャージランプ５は、充電中のみ点灯させてもよいし、充電完了後も給電中は点灯させてもよい。また、チャージランプ５は常時点灯させてもよいし、点滅させてもよい。さらに、チャージランプ５には、ＬＥＤ以外の発光部材を用いてもよい。
【００２２】
ハンドル部６は、上体１５の後部に回動可能に取り付けられている。上体１５には、上部１５ａと下部１５ｂとの間に段差が形成されており、この形成された段差部分にハンドル部６が収納可能なハンドル収納部１８が形成されている。ハンドル部６は、Ｕ字形に形成されており、先端の２ヶ所が上体１５に回動可能に取り付けられている。このハンドル部６は、上体１５に取り付けられると、ハンドル収納部１８に収納された通常位置と、ハンドル収納部１８よりも突出した位置となる突出位置との間で回動することが出来るように取り付けられる。このハンドル部６は、靴内に配置した清浄装置１を該靴内から引き出す際に、該清浄装置１を引き出しやすくするためのものである。このハンドル部６は、筒の長いブーツや長靴の中に配置した清浄装置１を取り出す際には、スムーズに取り出すことができるようになる。
【００２３】
充電用コネクタ７は、上体１５の後部に配置されており、図示しない充電用ケーブルと電気的に接続することができるように形成されている。この充電用コネクタ７は、ハンドル部６が通常位置に位置する場合には、該ハンドル部６によって隠され、ハンドル部６が突出位置に位置する場合に露出するような位置に配置されている。
【００２４】
次に、本体２の下体１６の構成について説明する。下体１６は、上体１５の下部に取付固定されるもので、図２に示すように、複数の窓からなる下窓部２１が形成されている。この下窓部２１は、下体１６の先端側に形成された第１下窓部２２と、下体１６の後端側に形成された第２下窓部２３とから構成されている。第１下窓部２２は、該第１下窓部２２の内部と外部が連通するように貫通形成されており、後述する除菌部８から発生する紫外線を外部に向けて照射することができるように構成されている。また、第２下窓部２３は、やはり該第２下窓部２３の内部と外部とが連通するように貫通形成されている。
【００２５】
また、図２に示すように、下体１６には、乾燥部材収容部１０及び消臭部９と連通する連通孔２４が形成されている。乾燥部材収容部１０は、下体１６の底面に対して凹状に窪む形で形成されている。図２に示すように、この乾燥部材収容部１０は、下体１６が延出する長尺方向に沿う方向に形成されており、その窪み深さは後述する乾燥部材３１が該乾燥部材収容部１０に収容される程度に形成されている。また、この乾燥部材収容部１０には、収容された乾燥部材３１が所定の位置で固定されるように固定ピン２５が設けられ、さらには収容された乾燥部材３１が乾燥部材収容部１０からとれないようにするために、４か所に固定片２６が形成されている。
【００２６】
連通孔２４は、下体１６の底面に位置している孔である。この連通孔２４は、底面から下方向に向けて開口形成されており、消臭部９において生成された消臭成分は、例えば靴の中敷きなどのような、連通孔２４と対向する箇所に向けて直接噴射等をすることができるようになっている。
【００２７】
図１等に示すように、上体１５と下体１６とを接合すると、本体２の先端側に、上窓部１７及び第１下窓部２２が上下に配置される。そして、これら上窓部１７及び第１下窓部２２の内側には、後述する紫外線管３５を配置するための紫外線管配置領域２７が形成される。この紫外線管配置領域２７は、所定の幅を有する空間であり、第１直線部１３の長手方向ほぼ中央部から該第１直線部１３の先端部に向けて、該第１直線部１３に沿って形成されると共に、第１曲線部１１に沿って曲線状に形成され、さらに第２直線部１４の先端部から該第２直線部１４の長手方向ほぼ中央部に向かって形成されている。なお、本実施の形態では、第２下窓部２３の内側にも所定の幅を有する空間が形成されているが、この第２下窓部２３の内側に形成された空間に紫外線管３５を配置させたりしてもよい。
【００２８】
図２に示すように、乾燥部材３１は、本体２の乾燥部材収容部１０に収容可能な大きさに形成されている。この乾燥部材３１は、本体２の固定ピン２５と係合する箇所に被係合部３２を有している。この被係合部３２は、乾燥部材３１の一部を切り欠いた切欠き状部として形成されている。この被係合部３２は、長手方向の先端側及び後端側のいずれにも形成されている。これは、使用者が乾燥部材３１を本体２に取り付ける時に、本体２の固定ピン２５と係合して、本体２から乾燥部材３１がはずれないようにするためである。また、このように乾燥部材３１が乾燥部材収容部１０に収容されると、乾燥部材３１の裏面（図２においての上面）が固定片２６に支持される。
【００２９】
なお、この乾燥部材３１には、シリカゲルを用いられているが、特にこれに限定するものではない。例えば、乾燥部材３１には、活性炭、温風やヒータを用いてもよい。ただし、温風やヒータを用いる場合は、供給する風の温度が高すぎると靴の壁を傷めてしまう場合が多いので、靴を傷めない程度に暖かい温度であることが好ましい。
【００３０】
次に、清浄装置１の断面構成を図３及び図４に基いて説明する。本体２の内部には、基板３３、除菌部８、消臭部９、充電池３４が内蔵されている。基板３３は、本体２の内部において、本体２の電源スイッチ３等が設けられている箇所に設けられている。この基板３３上には、所定の回路が形成されており、電源スイッチ３、表示ランプ４、チャージランプ５及び充電用コネクタ７が設けられている。また、この基板３３は、本体２の内部においてネジ止め固定されている。
【００３１】
除菌部８は、紫外線管３５を備えている。この紫外線管３５は、紫外線管配置領域２７内に、該紫外線管配置領域２７とほぼ同じ形状を有するように形成されている。即ち、この紫外線管３５は、本体２の第１直線部１３に沿って直線状に形成されている箇所と、第１曲線部１１に沿って曲線状に形成されている箇所と、さらに第２直線部１４に沿って直線状に形成されている箇所とが存在する。また、言い換えれば、この紫外線管３５は、Ｕ字形に形成されている。このように、紫外線管３５をＵ字形状にすることで、紫外線管３５の長さを確保することができるため、本体２の形状を小型化しつつ、紫外線の発生量を大きくすることも可能になる。
【００３２】
除菌部８における紫外線の発生及び照射は、従来から公知の方法で行ってもよい。例えば、紫外線の発生方法としては、紫外線管３５の電極４１に高電圧を引加することによって紫外線管３５の中で放電現象を発生させ、それによって紫外線を紫外線管３５の外部に向けて照射することによって行われるが、これ以外の他の方法で行ってもよい。また、本実施の形態では紫外線を発生させて靴の内部における空間に対して紫外線を照射することで、該靴の内部の空間内を除菌する方法がとられているが、除菌部８の構成としてはこれに限定されるものではない。例えば、オゾンを発生させるとともに照射させて細菌を死滅させてもよいし、アルコールや塩素を用いて除菌を行ってもよい。また、これら以外の方法で除菌をしてもよい。
【００３３】
消臭部９は、オゾンにより靴の内部の悪臭を除去するように構成されている。この消臭部９は、電極４１と高電圧発生部４２とを備えている。電極４１は、針状に形成されており、電気的に接続されている高電圧発生部４２から例えば３．０〜４．０ｋＶの程度の電圧が引加される。そして、この電極４１において電離やイオン化が発生し、オゾンが生成される。生成されたオゾンは、電極４１の下方に位置する連通孔２４から本体２の外部へ流れ、悪臭の原因となる細菌を除菌する。なお、本実施の形態では、消臭部９の構成としてオゾンを発生させるように構成した例を用いて説明したが、例えば紫外線を照射することにより消臭を行ってもよいし、活性炭やシリカゲル、光触媒などを用いてもよい。
【００３４】
充電池３４は、充電用コネクタ７と電気的に接続されており、外部の電源から充電された電気をためておくことができる。
【００３５】
次に、本実施の形態に係る清浄装置１の電気的構成及び電気的な動作を図５及び図６に基いて説明する。清浄装置１の動作に関しては、まずは図６（ａ）の例に基いて説明する。図５に示すように、本実施の形態に係る清浄装置１は、制御部４３を備えており、制御部４３に対して消臭部９、除菌部８、表示ランプ４及びチャージランプ５が電気的に接続されている。また、制御部４３は、電源スイッチ３及びタイマー４４を有している。電源スイッチ３は、使用者が清浄装置１を使用する際に操作するもので、この電源スイッチ３が操作されると、制御部４３は、消臭部９及び除菌部８に駆動信号を出力し、さらに表示ランプ４には点灯信号を出力する。また、制御部４３は、上記した以外にタイマー４４を起動して、電源スイッチ３がオンになってからの時間をカウントする。
【００３６】
図６（ａ）に示すように、駆動信号を受けた消臭部９は駆動を開始する。この時、消臭部９は、オゾン発生部において高電圧を発生させて針状の電極４１に高電圧を引加する。そして、オゾンを発生させて、連通孔２４からオゾンを放出させて悪臭を除去するように駆動する。また、駆動信号を受けた除菌部８も駆動を開始する。除菌部８は、紫外線管３５の電極に高電圧を引加して紫外線管３５において紫外線を発生させて、該紫外線を外部に向けて照射し、細菌を死滅させて除菌を行うように駆動する。また、表示部は、ＬＥＤを常時点灯する。
【００３７】
このように動作をさせている間、制御部４３はタイマー４４でカウントした時間が１０分経過したか否かを一定の周期で確認する。そして、カウントした時間がまだ１０分経過していない場合には上記した駆動を消臭部９、除菌部８及び表示ランプ４に対して行わせるように制御を行っている。
【００３８】
そして、制御部４３は、タイマー４４でカウントした時間が１０分経過したと判断した場合には、除菌部８に停止信号を出力する。すると、除菌部８は、停止信号の入力を受けるので、紫外線の発生及び照射を停止させる。
【００３９】
制御部４３は、さらに電源スイッチ３がオンになってから１２０分経過したか否かを一定の周期で確認する。そして、カウントした時間が１２０分経過していないと判断した場合には、上記した駆動を消臭部９及び表示ランプ４に対して行わせるように制御を行う。
【００４０】
一方、制御部４３は、電源スイッチ３がオンになってから１２０分経過したと判断した場合には、消臭部９に停止信号を出力するとともに、表示ランプ４に点滅信号を出力する。消臭部９は、停止信号の入力を受けると、オゾンの発生を停止させる。また、表示ランプ４は、点滅信号の入力を受けると、常時点灯させていた状態から、所定の周期で点灯したり消灯したりを繰り返す点滅状態になる。また、制御部４３は、電源スイッチ３がオンになってから１２時間経過したか否かを一定の周期で確認する。そして、カウントした時間が１２時間経過していないと判断した場合には、表示ランプ４が点滅した状態にするように制御する。一方、制御部４３は、電源スイッチ３がオンになってから１２時間経過したと判断した場合には、表示ランプ４に消灯信号を出力する。表示ランプ４は、消灯信号の入力を受けると、それまで点滅していた状態から消灯させる。このようにして、清浄装置１の一連の動作が終了する。なお、このように駆動している場合においても、乾燥部材３１は靴の内部の除湿は常に行っているので、本実施の形態に係る清浄装置１によれば、除菌、消臭及び除湿を同時に行っている。
【００４１】
本実施の形態では、除菌に紫外線を用いており、消臭にオゾンを用いている。上記した通り、紫外線は除菌作用のほかに消臭作用も有しており、オゾンは消臭作用のほかに除菌作用も有している。したがって、本実施の形態に係る清浄装置１によれば、除菌に関しては、除菌部８から発生する紫外線によるものに加えて、補助的に消臭部９から発生するオゾンによっても除菌作用を高めることができ、同様に、消臭に関しては、消臭部９から発生するオゾンによるものに加えて、補助的に除菌部８から発生する紫外線によっても消臭作用を高めることができる。したがって、本実施の形態に係る清浄装置１によれば、除菌及び消臭をより効果的に行うことができる。
【００４２】
また、本実施の形態に係る清浄装置１は、上記した効果に加えて乾燥部材３１による除湿も行われるので、細菌の発生や繁殖をより低く抑えることができる。そのため、上記した除菌及び消臭の作用もより向上させることが可能になる。
【００４３】
なお、先の例で説明した動作は一つの例であり、あの動作パターンに限定されるものではない。以下において、別の動作パターンの例についても説明する。他の例では、図６（ｂ）に示すように、電源スイッチ３がオンになると、制御部４３は除菌部８及び消臭部９に駆動信号を出力して、除菌部８及び消臭部９を駆動させる。そして、制御部４３は、表示ランプ４にも点灯信号を出力して、表示ランプ４を常時点灯させる。さらに、制御部４３は、電源スイッチ３がオンになってから５分経過したと判断すると、除菌部８の駆動を停止させる。即ち、電源スイッチ３がオンになってから５分経過後は、電源スイッチ３がオンになってから６０分経過するまでは消臭部９のみが駆動するように制御する。なお、制御部は、電源スイッチ３がオンになってから５分経過してから６０分経過するまでの間は、表示ランプ４を常時点灯させるように制御する。
【００４４】
そして、電源スイッチ３がオンになってから６０分を経過すると、制御部４３は除菌部８に駆動信号を出力して除菌部８を駆動させる。この時点から、電源スイッチ３がオンになってから６５分経過するまでの間は、除菌部８、消臭部９が駆動した状態となる。また、電源スイッチ３がオンになってから６５分経過したと判断すると、制御部４３は除菌部８に停止信号を出力して除菌部８の駆動を停止させ、消臭部９のみが駆動した状態を維持する。その後、制御部４３は、電源スイッチ３がオンになってから１２０分経過したと判断するまでの間は消臭部９のみが駆動した状態を維持し、電源スイッチ３がオンになってから１２０分経過したと判断すると消臭部９に停止信号を出力して消臭部９の駆動を停止し、さらには表示ランプ４に点滅信号を出力して表示ランプ４を点滅した状態にする。また、制御部４３は、電源スイッチ３がオンになってから１２時間経過したか否かを一定の周期で確認する。そして、カウントした時間が１２時間経過していないと判断した場合には、表示ランプ４が点滅した状態にするように制御する。一方、制御部４３は、電源スイッチ３がオンになってから１２時間経過したと判断した場合には、表示ランプ４に消灯信号を出力する。表示ランプ４は、消灯信号の入力を受けると、それまで点滅していた状態から消灯させる。このようにして、清浄装置１の一連の動作が終了する。
【００４５】
本実施の形態における清浄装置１は、このようなパターンで動作を行っても、先に説明した除菌、消臭及び除湿の作用をより向上させることができる。
【００４６】
なお、本実施の形態に係る清浄装置は、上記した動作に限定されるものではない。例えば、図６（ｃ）に示す動作パターンのように、消臭部９が一定の周期で駆動と停止を断続的に繰り返す。また、除菌は、電源スイッチ３がオンになってから５分経過するまでの間、及び電源スイッチ３がオンになってから６０分経過してから６５分経過するまでの間のみ駆動し、それ以外の時間は駆動を停止するように動作してもよい。このように動作をした場合であっても、本実施の形態に係る清浄装置１は、先に説明した除菌、消臭及び除湿の作用をより向上させることができる。
【００４７】
なお、本発明に係る清浄装置１において、該清浄装置１の動作パターンについて３つの例を用いて説明したが、動作パターンはこれに限定されるものではない。また、本実施の形態では、１２０分で一連の動作が終了する例を用いているが、動作時間も１２０分に限定されるものではなく、これより長くても短くてもよい。また、除菌部８の照射は先に説明したように、一回の照射で集中して除菌を行うようにしてもよいし、一回の照射時間を短くして、所定の間隔をあけて複数回にわたって照射するようにしてもよい。同様に、消臭部９についても、所定の時間を連続的に駆動していてもよいし、断続的に動作するようにしてもよい。特に除菌部８や消臭部９を断続的に駆動させた場合、細菌は、紫外線やオゾンが照射されると、その照射されない範囲に移動することがある。そして、このように移動した細菌は、照射が終了するとまた元の場所に移動してくることがある。したがって、紫外線やオゾンを断続的に行うと、細菌が元の場所に戻ってきたところで再度照射して細菌をより確実に死滅させたりすることができ、より衛生的にすることも可能になる。
【００４８】
以上、本発明に係る清浄装置について詳細に説明したが、これは本発明に係る清浄装置を例示したに過ぎず、これに限定されるものではない。したがって、本発明は、本発明の趣旨を逸脱しない範囲において、適宜変更してもよい。
【００４９】
また、本実施の形態では、靴の内部の除菌、脱臭、除湿を行う例を用いて説明したが、本発明が使用されるのは靴等の履物に限定されるものでもない。例えば、履物を収納する収納部を有する下駄箱や、履物や衣類等を収納するバッグ等にも用いることができるし、またこれら以外のものにも用いることができる。
【符号の説明】
【００５０】
１  清浄装置
８  除菌部
９  消臭部
１０  乾燥部材収容部
２４  連通孔
２７  紫外線管配置領域
３１  乾燥部材
３５  紫外線管
４１  電極
４２  高電圧発生部
４３  制御部
４４  タイマー
【図１】
2016174835.tif 000003
【図２】
2016174835.tif 000004
【図３】
2016174835.tif 000005
【図４】
2016174835.tif 000006
【図５】
2016174835.tif 000007
【図６】
2016174835.tif 000008